(57)【要約】【課題】パイプスペースなどの限られた場所でも、容易に施工できる竪配管の設置構造体および施工方法を提供する。【解決手段】天井スラブ１と床スラブ１に設けられた開口部２０、２１を通して建物内の縦方向に設置された竪配管２２の設置構造体であって、開口部２０、２１の周りにおいて、天井スラブ１の下面と床スラブ２の上面の間に複数本の支柱２５が設置され、複数本の支柱２５の間に支持部材３０が取り付けられ、支持部材３０に、竪配管２２が支持されている。天井スラブ１の下面と床スラブ２の上面の間に複数本の支柱２５を設置するだけで竪配管２２を支持できるので、建物内において極めて簡単に、かつ確実に竪配管２２を固定できる。【選択図】図１
2014125749.tif 000002
【特許請求の範囲】
【請求項１】
天井スラブと床スラブに設けられた開口部を通して建物内の縦方向に設置された竪配管の設置構造体であって、
前記開口部の周りにおいて、前記天井スラブの下面と前記床スラブの上面の間に複数本の支柱が設置され、
前記複数本の支柱の間に支持部材が取り付けられ、
前記支持部材に、前記竪配管が支持されてなる、竪配管の設置構造体。
【請求項２】
前記複数本の支柱がパイプであり、前記支持部材がアングル材である、請求項１に記載の竪配管の設置構造体。
【請求項３】
前記支柱の上端と前記天井スラブの下面との間、もしくは、前記支柱の下端と前記床スラブの上面との間に、受具が配置されており、
前記受具は、前記天井スラブの下面、もしくは、前記床スラブの上面に密接させられるプレート部と、前記支柱の上端、もしくは、前記支柱の下端を受容するカバー部を有する、請求項１または２に記載の竪配管の設置構造体。
【請求項４】
天井スラブと床スラブに設けられた開口部を通して建物内の縦方向に竪配管を設置する方法であって、
前記開口部の周りにおいて、前記天井スラブの下面と前記床スラブの上面の間に複数本の支柱を設置し、
前記複数本の支柱の間に取り付けた支持部材に、前記竪配管を支持する、竪配管の設置方法。
【請求項５】
前記複数本の支柱がパイプであり、前記支持部材がアングル材である、請求項４に記載の竪配管の設置方法。
【請求項６】
プレート部とカバー部を有する受具を用い、
前記支柱の上端を前記カバー部に受容して、前記プレート部を前記天井スラブの下面に密接させるか、もしくは、前記支柱の下端を前記カバー部に受容して、前記プレート部を前記天井スラブの上面に密接させる、の少なくとも一方を行う請求項４または５に記載の竪配管の設置方法。
【発明の詳細な説明】
【技術分野】
【０００１】
本発明は、建物内において、例えば冷暖房用、給湯用、排水用などに用いられる竪配管の設置構造体および施工方法に関する。
【背景技術】
【０００２】
従来より、冷凍機などの中央熱源を建物内に備え、温水や冷水などの熱媒を、各室に搬送して空調負荷を処理するセントラル空調方式が知られている。かかるセントラル空調方式の空調設備を備えた建物内では、冷暖房用の熱媒を、竪配管を用いて各階まで搬送している。また、建物内には、給湯用や排水用の竪配管が設置される場合もある。
【０００３】
従来、このような竪配管を建物内に固定するものとして、例えば特許文献１に示されるような立管ユニット用フレームが知られている。この特許文献１に示される立管ユニット用フレームは、チャネル材などの複数の鋼材をボルト結合や溶接により組み立てた強固な構造体である。また、例えば特許文献２には、壁体に固定したブラケットにクランプ金具を取り付けて空調用の縦管を支持する構造が示されている。
【先行技術文献】
【特許文献】
【０００４】
【特許文献１】特許第３０６０１２５号公報
【特許文献２】特許第２８１４２２３号公報
【発明の概要】
【発明が解決しようとする課題】
【０００５】
しかしながら、特許文献１の立管ユニット用フレームは、強固な構造体であるがために相当な重量があり、現場への搬入や、竪配管を固定する作業が大変になる。特に特許文献１の立管ユニット用フレームを天井スラブに固定する場合、アンカーを打設する作業が必要になる。しかしながら、特許文献１のような重量のある立管ユニット用フレームを天井スラブにアンカー固定する作業は容易ではなく、持ち上げる労力も非常に困難であり、設置に長時間を要していた。また通常、竪配管を固定する作業は建物内のパイプスペース（ＰＳ）といった限られた狭い場所で行わなければならない。特許文献１のような立管ユニット用フレームは、狭いパイプスペースには搬入できない場合もあり、また、そのような限られた場所で危険を伴う作業を強いられる欠点があった。
【０００６】
また、特許文献２の支持構造体も、壁体にブラケットをアンカー固定する作業が必要であり、また、適当な位置に壁体が必要なため、竪配管の設置レイアウトも限られるといった難点があった。また特許文献１と同様、特許文献２の支持構造体も、狭いパイプスペースには搬入できない場合があり、また、そのような限られた場所でアンカー必要をしなければならないといった欠点があった。
【０００７】
本発明は、かかる点に鑑みてなされたものであり、パイプスペースなどの限られた場所でも、容易に施工できる竪配管の設置構造体および施工方法を提供することを目的とする。
【課題を解決するための手段】
【０００８】
前記の目的を達成するため、本発明によれば、天井スラブと床スラブに設けられた開口部を通して建物内の縦方向に設置された竪配管の設置構造体であって、前記開口部の周りにおいて、前記天井スラブの下面と前記床スラブの上面の間に複数本の支柱が設置され、前記複数本の支柱の間に支持部材が取り付けられ、前記支持部材に、前記竪配管が支持されてなる、竪配管の設置構造体が提供される。
【０００９】
この設置構造体において、例えば、前記複数本の支柱がパイプであり、前記支持部材がアングル材である。また、例えば、前記支柱の上端と前記天井スラブの下面との間、もしくは、前記支柱の下端と前記床スラブの上面との間に、受具が配置されており、前記受具は、前記天井スラブの下面、もしくは、前記床スラブの上面に密接させられるプレート部と、前記支柱の上端、もしくは、前記支柱の下端を受容するカバー部を有する。
【００１０】
また、本発明によれば、天井スラブと床スラブに設けられた開口部を通して建物内の縦方向に竪配管を設置する方法であって、前記開口部の周りにおいて、前記天井スラブの下面と前記床スラブの上面の間に複数本の支柱を設置し、前記複数本の支柱の間に取り付けた支持部材に、前記竪配管を支持する、竪配管の設置方法が提供される。
【００１１】
この設置方法において、例えば、前記複数本の支柱がパイプであり、前記支持部材がアングル材である。また、例えば、プレート部とカバー部を有する受具を用い、前記支柱の上端を前記カバー部に受容して、前記プレート部を前記天井スラブの下面に密接させるか、もしくは、前記支柱の下端を前記カバー部に受容して、前記プレート部を前記天井スラブの上面に密接させる、の少なくとも一方を行う。
【発明の効果】
【００１２】
本発明によれば、天井スラブの下面と床スラブの上面の間に複数本の支柱を設置するだけで竪配管を支持できるので、建物内において極めて簡単に、かつ確実に竪配管を固定できるようになる。例えばパイプスペースなどの限られた狭い場所においても、竪配管を固定する作業ができるので、作業性が向上し、設置コストも低減できる。
【図面の簡単な説明】
【００１３】
【図１】本実施の形態にかかる竪配管の設置構造体の説明図である。
【図２】図１中におけるＸ−Ｘ断面図である。
【図３】支柱の説明図である。
【図４】受具の説明図である。
【発明を実施するための形態】
【００１４】
以下、本発明の実施の形態について説明する。なお、本明細書及び図面において、実質的に同一の機能構成を有する構成要素については、同一の符号を付することにより重複説明を省略する。
【００１５】
図１は、建物内において、天井スラブ１と床スラブ２によって形成された任意の階層を示している。建物内の各階層には、壁体１０によって仕切られたパイプスペース１１が設けられている。また、パイプスペース１１の外側は、床スラブ２、壁体１０、天井ボード１２によって囲まれた、廊下やテナントなどに利用される居住空間１３になっている。壁体１０、天井ボード１２は、例えば軽量鉄骨（ＬＧＳ）の上に石膏ボードを張り、壁紙（クロス）を張った構造である。
【００１６】
パイプスペース１１において、天井スラブ１と床スラブ２に開口部２０、２１が設けられている。そして、これら開口部２０、２１を通して、例えば冷暖房用、給湯用、排水用などに用いられる竪配管２２が、建物内の縦方向に設置される。竪配管２２は、例えば塩ビ管などからなる。本発明の設置構造体は、このように建物内の縦方向に設置される竪配管２２の施工に関するものである。
【００１７】
先ず、パイプスペース１１の内部において、天井スラブ１の下面と床スラブ２の上面の間に複数本の支柱２５を設置する。この場合、複数本の支柱２５を、開口部２０、２１の周りに設置し、かつ、支柱２５同士の間に、竪配管２２が位置するように配置する。この実施の形態では、開口部２０、２１の周りおいて、竪配管２２を挟むように２本の支柱２５を配置している。
【００１８】
ここで、「支柱２５同士の間に、竪配管２２が位置する」とは、次のように説明される。すなわち、図２に示すように、壁体１０同士の間に形成されたパイプスペース１１において、開口部２０、２１を通して、１または２以上の竪配管２２が縦方向に設置されている。なお、この実施の形態では、パイプスペース１１に２本の竪配管２２が設置された例が示されている。そして、これら２本の竪配管２２の両外側に、支柱２５が１本ずつ設置されている。これら２本の支柱２５と２本の竪配管２２は、２本の支柱２５同士を結ぶ直線Ｌ１の長さと、２本の竪配管２２同士を結ぶ直線Ｌ２の長さが、Ｌ１＞Ｌ２の関係にある。また、直線Ｌ１と直線Ｌ２はほぼ同一直線上にあり、竪配管２２の外側において、壁体１０と竪配管２２の間に支柱２５がそれぞれ位置している。すなわち、２本の支柱２５は、いずれも竪配管２２よりも壁体１０に近い位置にある。
【００１９】
図３に示すように、支柱２５には、例えばＳＧＰなどのパイプを用いることができる。天井スラブ１と床スラブ２との間隔（高さ）Ｈは、通常４ｍ程度である。例えば、長さ４ｍのＳＧＰで内径４０Ａのパイプを２本用いた場合、約３１５０円×２本で、６３００円程度である。なお、このような管種、口径は空調設備や衛生設備において多く用いられているので、それらの資材を支柱２５に利用することができる。
【００２０】
このようにパイプスペース１１内に支柱２５を設置する場合、支柱２５の上端と天井スラブ１の下面との間、支柱２５の下端と床スラブ２の上面との間には、受具２６を配置すると良い。図４に示すように、受具２６は、平板形状のプレート部２７の上面にリング形状のカバー部２８を、溶接等によって取り付けた構成であり、カバー部２８は、支柱２５の上下端を受容できる大きさを有している。例えば、受具２６を４個用いた場合、１個で約３０００円、４個で１２０００円程度である。
【００２１】
そして、このような受具２６のカバー部２８に支柱２５の上端を受容させ、受具２６のプレート部２７の底面（カバー部２８が取り付けられていない方の側面）を、天井スラブ１の下面に密接させる。また同様に、受具２６のカバー部２８に支柱２５の下端を受容させ、受具２６のプレート部２７の底面（カバー部２８が取り付けられていない方の側面）を、床スラブ２の上面に密接させる。そして、支柱２５によって天井スラブ１の下面と床スラブ２の上面との間に突っ張り力（圧縮力）を作用させることにより、天井スラブ１の下面と床スラブ２の上面との間に支柱２５を固定する。
【００２２】
または、受具２６のプレート部２７を、天井スラブ１の下面や床スラブ２の上面に適宜アンカー固定しても良い。受具２６をアンカー固定する場合でも、特許文献１のようなフレームの基部にアンカーを打設する場合と比べ、打設箇所を少なくできる。すなわち、１つの受具２６につき一か所、プレート部２７に打設すればよい。
【００２３】
こうして、パイプスペース１１内において天井スラブ１の下面と床スラブ２の上面との間に複数本の支柱２５を垂直に固定した後、支柱２５同士の間に、支持部材３０を水平に取り付ける。この場合、支持部材３０には、例えばアングル材を用いることができる。なお、支持部材３０の取り付け位置（高さ）や個数は適宜設計変更することができる。例えば、竪配管２２を２ｍ間隔で固定できるように、天井スラブ１の下面と床スラブ２の上面との間において、２ｍ間隔Ｌで２個の支持部材３０を設けると良い。
【００２４】
そして、支柱２５同士の間に取り付けられた支持部材３０に、竪配管２２を支持することにより、パイプスペース１１内において竪配管２２を固定する。なお、竪配管２２を支持部材３０に固定する場合、接着テープを巻きつけて、さらにその上からインシュロックなどで結束する等、適当な結束具３１を用いることにより、容易に確実に支持することが可能となる。
【００２５】
以上のようにして構成された竪配管２２の設置構造体は、天井スラブ１の下面と床スラブ２の上面の間に複数本の支柱２５を設置するだけで竪配管２２を支持できるので、建物内において極めて簡単に、かつ確実に竪配管２２を固定できるようになる。なお、パイプスペース１１に支柱２５を設置して竪配管２２を固定する作業は、壁体１０を設ける前のスペースが開放された広い状態で行えば、支柱２５や受具２６、支持部材３０などの資材の搬入がより容易となり、また、受具２６をアンカー固定する作業もしやすい。また、例えば天井スラブ１に受具２６をアンカー固定する作業は、ＢＳＭなどの簡易足場や脚立を用いて安定して行うことができる。この場合、別の作業員が足場を押さえるなど二人作業とすることで危険性の減少が期待できる。
【００２６】
また、特許文献１、２に示されていたような従来の工法に比べて、作業工数が著しく少なくて済み、竪配管２２を固定する作業時間も短縮できる。例えばパイプスペース１１などの限られた狭い場所においても、竪配管２２を固定する作業ができるので、作業性が向上し、設置コストも低減できる。一例として、この実施の形態で示した設置構造体について試算すると、支柱２５が６３００円程度、受具２６が１２０００円程度で、取り付け工賃（約２万円×人工０．５）１００００円程度で、合計約２８３００円で設置することが可能である。
【００２７】
また、支柱２５同士の間に取り付ける支持部材３０は、適当なクランプ材（Ｕボルト）などを用いて、任意の位置（高さ）に容易に取り付けることができる。例えば、天井スラブ１の下面と床スラブ２の上面との間において、２個の支持部材３０を取り付けて高さ方向に２ｍ間隔Ｌで竪配管２２を支持すれば、竪配管２２をしっかりと固定できる。
【００２８】
なお、建物内の各階層において、天井スラブ１の下面と床スラブ２の上面の間に支柱２５を設置する例を説明したが、コンクリート打設前であれば、建物内の複数階層に渡って長尺の支柱を設置することも考えられる。また、支柱２５や支持部材３０には、パイプ材やアングル材の他、その他の資材も利用できる。また、受具２６は、天井スラブ１の下面や床スラブ２の上面にアンカー固定しても良いが、支柱２５の突っ張り力（スタンション）で固定しても良い。
【産業上の利用可能性】
【００２９】
本発明は、建物内の空調設備や上下水設備の構築に有用である。
【符号の説明】
【００３０】
１  天井スラブ
２  床スラブ
１０  壁体
１１  パイプスペース
１２  天井ボード
１３  居住空間
２０、２１  開口部
２２  竪配管
２５  支柱
２６  受具
２７  プレート部
２８  カバー部
３０  支持部材
３１  結束具
【図１】
2014125749.tif 000003
【図２】
2014125749.tif 000004
【図３】
2014125749.tif 000005
【図４】
2014125749.tif 000006